【手続補正書】
【提出日】平成17年10月24日(2005.10.24)
【手続補正１】
【補正対象書類名】明細書
【補正対象項目名】発明の名称
【補正方法】変更
【補正の内容】
【発明の名称】電子カルテシステム及び電子カルテ表示方法
【手続補正２】
【補正対象書類名】明細書
【補正対象項目名】特許請求の範囲
【補正方法】変更
【補正の内容】
【特許請求の範囲】
【請求項１】
各患者のカルテ情報が蓄積された少なくとも１つの電子カルテ蓄積手段と、
各患者の検査結果情報が蓄積された少なくとも１つの検査データ蓄積手段と、
前記電子カルテ蓄積手段にカルテ情報を入力可能であり、かつ、前記電子カルテ蓄積手段に蓄積されたデータと前記検査データ蓄積手段に蓄積されたデータとを表示手段に表示可能である第１の手段と、
前記検査データ蓄積手段に検査結果情報を入力可能な第２の手段と、を有し、
前記電子カルテ蓄積手段に蓄積されたデータと前記検査データ蓄積手段に蓄積されたデータとを関連付け、前記第１の手段は前記関連付けに基づいて、表示される情報と関連する情報を前記表示手段に表示可能であることを特徴とする電子カルテシステム。
【請求項２】
前記第１の手段から検査を依頼するための検査依頼情報を前記検査データ蓄積手段に送信可能であり、前記第２の手段は、前記検査データ蓄積手段に送られた前記検査依頼情報を受信可能であり、前記第２の手段では、前記検査依頼情報に基づいた検査結果情報を入力し、その検査結果情報を前記検査依頼情報と関連付けて前記検査データ蓄積手段に蓄積することを特徴とする請求項１に記載の電子カルテシステム。
【請求項３】
各患者のカルテ情報が蓄積された少なくとも１つの電子カルテ蓄積手段と、
各患者の検査結果情報が蓄積された少なくとも１つの検査データ蓄積手段と、
前記電子カルテ蓄積手段に蓄積されたデータと前記検査データ蓄積手段に蓄積されたデータとを表示手段に表示可能である端末と、を有し、
前記電子カルテ蓄積手段に蓄積されたデータと前記検査データ蓄積手段に蓄積されたデータとを関連付け、
前記端末は、前記表示手段の表示面に少なくとも診断情報、検査依頼情報、検査結果情報、処方情報を表示可能であり、前記表示手段に表示された検査結果情報がポイントされることによって、前記検査データ蓄積手段に蓄積されている関連付けされた検査画像を前記表示手段に表示することが可能なことを特徴とする電子カルテシステム。
【請求項４】
前記表示手段に表示される検査画像には、注目すべき位置にマーキングがされ、そのマーキングがポイントされることによって、前記検査データ蓄積手段に蓄積されている前記患部の検査報告情報あるいは検査画像を前記表示手段に表示することが可能な請求項３に記載の電子カルテシステム。
【請求項５】
前記検査データ蓄積手段に検査結果情報を入力可能な入力手段を有し、
前記入力手段により前記表示手段に表示されている検査画像中にコメントあるいはマーキングの付与が可能であり、そのコメントあるいはマーキングを示すデータは前記検査画像データと関連付けされて前記検査データ蓄積手段に蓄積されることを特徴とする請求項３に記載の電子カルテシステム。
【請求項６】
患者のカルテ情報を表示するカルテ情報表示領域と、前記患者カルテ情報に関連付けられた検査報告情報を表示する検査報告情報表示領域とを表示手段の表示面に表示することが可能な端末を備える電子カルテシステムであって、
前記カルテ情報表示領域内に表示される文字列の内、所望の文字列を指定する指定手段を備え、
前記端末は、前記指定手段により得られた文字に基づき、前記表示手段の前記検査報告情報表示領域に前記患者の検査報告情報を表示可能としたことを特徴とする電子カルテシステム。
【請求項７】
前記指定手段は、前記検査報告情報表示領域内の文字列の内、所望の文字列を指定し、
前記端末は、前記指定手段により得られた文字に基づき、前記検査報告情報に関連付けられた画像データを前記表示手段の画像データ表示領域に表示可能としたことを特徴とする請求項６に記載の電子カルテシステム。
【請求項８】
前記指定手段は、前記画像データ中に設定されたマーキングを指定し、
前記端末は、前記指定手段により指定されたマーキングに基づき、前記画像データに関連する病理検査の結果もしくは病理検査画像データを前記表示手段に表示可能としたことを特徴とする請求項７に記載の電子カルテシステム。
【請求項９】
患者のカルテ情報を表示手段のカルテ情報表示領域に表示するステップと、
前記カルテ情報表示領域の所望の位置をポイントするステップと、
前記ポイントされた位置に基づき、前記患者のカルテ情報に関連付けられた検査情報を前記表示手段の検査情報表示領域に表示するステップと、
を備えたことを特徴とする電子カルテ表示方法。
【手続補正３】
【補正対象書類名】明細書
【補正対象項目名】０００１
【補正方法】変更
【補正の内容】
【０００１】
【発明の属する技術分野】
本発明は、病院で医師が診療の記録をするための電子カルテシステム及び電子カルテ表示方法に関するものである。
【手続補正４】
【補正対象書類名】明細書
【補正対象項目名】０００６
【補正方法】変更
【補正の内容】
【０００６】
【課題を解決するための手段】
請求項１に記載の電子カルテシステムは、各患者のカルテ情報が蓄積された少なくとも１つの電子カルテ蓄積手段と、各患者の検査結果情報が蓄積された少なくとも１つの検査データ蓄積手段と、前記電子カルテ蓄積手段にカルテ情報を入力可能であり、かつ、前記電子カルテ蓄積手段に蓄積されたデータと前記検査データ蓄積手段に蓄積されたデータとを表示手段に表示可能である第１の手段と、前記検査データ蓄積手段に検査結果情報を入力可能な第２の手段と、を有し、前記電子カルテ蓄積手段に蓄積されたデータと前記検査データ蓄積手段に蓄積されたデータとを関連付け、前記第１の手段は前記関連付けに基づいて、表示される情報と関連する情報を前記表示手段に表示可能であることを特徴とする。
【手続補正５】
【補正対象書類名】明細書
【補正対象項目名】０００７
【補正方法】変更
【補正の内容】
【０００７】
請求項３に記載の電子カルテシステムは、各患者のカルテ情報が蓄積された少なくとも１つの電子カルテ蓄積手段と、各患者の検査結果情報が蓄積された少なくとも１つの検査データ蓄積手段と、前記電子カルテ蓄積手段に蓄積されたデータと前記検査データ蓄積手段に蓄積されたデータとを表示手段に表示可能である端末と、を有し、前記電子カルテ蓄積手段に蓄積されたデータと前記検査データ蓄積手段に蓄積されたデータとを関連付け、前記端末は、前記表示手段の表示面に少なくとも診断情報、検査依頼情報、検査結果情報、処方情報を表示可能であり、前記表示手段に表示された検査結果情報がポイントされることによって、前記検査データ蓄積手段に蓄積されている関連付けされた検査画像を前記表示手段に表示することが可能なことを特徴とする。
【手続補正６】
【補正対象書類名】明細書
【補正対象項目名】０００９
【補正方法】変更
【補正の内容】
【０００９】
請求項６に記載の電子カルテシステムは、患者のカルテ情報を表示するカルテ情報表示領域と、前記患者カルテ情報に関連付けられた検査報告情報を表示する検査報告情報表示領域とを表示手段の表示面に表示することが可能な端末を備える電子カルテシステムであって、前記カルテ情報表示領域内に表示される文字列の内、所望の文字列を指定する指定手段を備え、前記端末は、前記指定手段により得られた文字に基づき、前記表示手段の前記検査報告情報表示領域に前記患者の検査報告情報を表示可能としたことを特徴とする。
【手続補正７】
【補正対象書類名】明細書
【補正対象項目名】００１０
【補正方法】変更
【補正の内容】
【００１０】
請求項９に記載の電子カルテ表示方法は、患者のカルテ情報を表示手段のカルテ情報表示領域に表示するステップと、前記カルテ情報表示領域の所望の位置をポイントするステップと、前記ポイントされた位置に基づき、前記患者のカルテ情報に関連付けられた検査情報を前記表示手段の検査情報表示領域に表示するステップと、を備えたことを特徴とする。